(57)【特許請求の範囲】
【請求項１】
取付面に回転可能に支持される巻取軸からスクリーンを垂下し、前記スクリーンの下端にウェイトバーを取着し、前記巻取軸の回転に基づいて前記スクリーン及びウェイトバーを昇降可能とし、前記ウェイトバーを上下動可能に支持するガイドワイヤーを前記ウェイトバーの長手方向両側に張設したロールブラインドにおいて、
前記ガイドワイヤーに上下動可能に支持される一対のワイヤーランナーを、前記ウェイトバーの両端部のそれぞれに、該ウェイトバーの長手方向に移動可能に支持し、
前記ウェイトバーには、前記ワイヤーランナーの前記長手方向への移動に基づいて付勢されて前記ウェイトバーを前記スクリーンに巻ずれが発生しない位置に保持する一対の付勢手段を備え、
前記各ワイヤーランナーの先端部には前記ガイドワイヤーを挿通し、
前記各ワイヤーランナーの基端部と前記ウェイトバーとの間には前記各付勢手段がそれぞれ配設され、
前記ワイヤーランナーの前記長手方向への移動に基づいて、前記一対の付勢手段のうちの一方のみが付勢されることを特徴とするロールブラインドの巻ずれ防止装置。
【請求項２】
前記ウェイトバー内で前記ワイヤーランナーの基端部と前記ウェイトバーとの間に前記付勢手段を配設したことを特徴とする請求項１記載のロールブラインドの巻ずれ防止装置。
【請求項３】
取付面に回転可能に支持される巻取軸からスクリーンを垂下し、前記スクリーンの下端にウェイトバーを取着し、前記巻取軸の回転に基づいて前記スクリーン及びウェイトバーを昇降可能とし、前記ウェイトバーを上下動可能に支持するガイドワイヤーを前記ウェイトバーの長手方向両側に張設したロールブラインドにおいて、
前記ガイドワイヤーに上下動可能に支持されるワイヤーランナーを、前記ウェイトバーの両端部に該ウェイトバーの長手方向に移動可能に支持し、前記ウェイトバーには前記ワイヤーランナーの移動に基づいて付勢されて前記ウェイトバーを前記スクリーンに巻ずれが発生しない位置に保持する付勢手段を備え、
前記ワイヤーランナーの先端部に前記ガイドワイヤーを挿通し、前記ウェイトバー内に前記ワイヤーランナーと一体に移動する付勢手段収容部を設け、前記付勢手段収容部と前記ウェイトバーに固定された仕切り板との間に前記付勢手段を配設したことを特徴とするロールブラインドの巻ずれ防止装置。
【請求項４】
前記ウェイトバーの両端部に一対の前記ワイヤーランナーをそれぞれ移動可能に支持し、前記各ワイヤーランナーと一体に移動する付勢手段収容部を前記仕切り板の両側に設け、前記仕切り板の両側に前記付勢手段を設けたことを特徴とする請求項３記載のロールブラインドの巻ずれ防止装置。
【請求項５】
取付面に回転可能に支持される巻取軸からスクリーンを垂下し、前記スクリーンの下端にウェイトバーを取着し、前記巻取軸の回転に基づいて前記スクリーン及びウェイトバーを昇降可能とし、前記ウェイトバーを上下動可能に支持するガイドワイヤーを前記ウェイトバーの長手方向両側に張設したロールブラインドにおいて、
前記ガイドワイヤーに上下動可能に支持されるワイヤーランナーを、前記ウェイトバーの両端部に該ウェイトバーの長手方向に移動可能に支持し、前記ウェイトバーには前記ワイヤーランナーの移動に基づいて付勢されて前記ウェイトバーを前記スクリーンに巻ずれが発生しない位置に保持する付勢手段を備え、
前記巻取軸の支持ブラケットに前記ガイドワイヤーを保持するワイヤーホルダーを設け、前記ワイヤーホルダーの前記スクリーンに対向する面に、前記スクリーンの巻ずれ方向に対し斜めとなる斜辺部を備えたことを特徴とするロールブラインドの巻ずれ防止装置。
【請求項６】
取付面に回転可能に支持される巻取軸からスクリーンを垂下し、前記スクリーンの下端にウェイトバーを取着し、前記巻取軸の回転に基づいて前記スクリーン及びウェイトバーを昇降可能とし、前記ウェイトバーを上下動可能に支持するガイドワイヤーを前記ウェイトバーの長手方向両側に張設したロールブラインドにおいて、
前記ガイドワイヤーに上下動可能に支持される一対のワイヤーランナーを、前記ウェイトバーの両端部のそれぞれに、該ウェイトバーの長手方向に移動可能に支持し、
前記ウェイトバーには、前記ワイヤーランナーの前記長手方向への移動に基づいて付勢されて前記ウェイトバーを前記スクリーンに巻ずれが発生しない位置に自然長で保持する一対のコイルスプリングを備え、
前記ワイヤーランナーの先端部に前記ガイドワイヤーを挿通し、
前記ワイヤーランナーの前記長手方向への移動に基づいて、前記一対のコイルスプリングのうちの一方のみが付勢されるとともに、他方が自然長で保持されることを特徴とするロールブラインドの巻ずれ防止装置。
【発明の詳細な説明】
【技術分野】
【０００１】
この発明は、ロールブラインドのスクリーン昇降装置に関するものであり、特にスクリーンの巻ずれを防止する巻ずれ防止装置に関するものである。
【背景技術】
【０００２】
従来、ロールブラインドのスクリーン巻取軸をモーターの駆動力で回転させてスクリーンを昇降する大型の電動ロールブラインドでは、スクリーンが上限まで引き上げられたときモーターの作動を停止させる上限停止装置及びスクリーンが下限まで下降したときモーターの作動を停止させる下限停止装置が設けられている。
【０００３】
このような電動ロールブラインドでは、スクリーンの巻ずれを検出して、モーターの作動を停止させる巻ずれ検出装置を備えたものが提案されている。（特許文献１参照）
また、スクリーンの巻ずれを防止する巻ずれ防止装置を備えたロールブラインドも提案されている。このような巻ずれ防止装置は、スクリーン下端の下板に錘を取り付けて巻ずれの発生を防止するようにしたものが提案されている。（特許文献２参照）
特許文献３，４には、巻上式カーテンのカーテン先端棒の両端部に収容されたコイルスプリングの付勢力により、カーテン先端棒の両端をカーテン生地の両側に位置するカーテンレールの上下方向の任意位置にカーテン生地の自重に抗して摩擦力により保持する保持装置が開示されている。
【先行技術文献】
【特許文献】
【０００４】
【特許文献１】特許第３５４２７４３号
【特許文献２】実公昭６３−２４７８３号
【特許文献３】実用新案登録第２５０２５９４号
【特許文献４】実開昭６１−８０９９９号
【発明の概要】
【発明が解決しようとする課題】
【０００５】
上記特許文献２のような巻ずれ防止装置では、錘を取り付ける位置を調整することにより、スクリーンの巻ずれを調整する構成であるため、スクリーンの生地の伸び等により錘の位置を適宜調節する必要がある。
【０００６】
従って、錘の取り付け位置が適切ではない場合には、巻ずれの発生を防止することができないという問題点がある。
上記特許文献３又は特許文献４のような装置は、巻ずれが発生しない位置に自動的に調整するための構成ではなく、常にカーテン生地の自重に対向するだけの強い摩擦力がカーテンレールに作用する構成である。従って、巻取りに要するトルクが大きくなってしまうため、操作力やモーターの必要トルクが大きくなってしまう。
【０００７】
この発明の目的は、ウェイトバーをスクリーンの巻ずれが発生しない位置に自動的に調整し得るロールブラインドの巻ずれ防止装置を提供することにある。
【課題を解決するための手段】
【０００８】
請求項１では、取付面に回転可能に支持される巻取軸からスクリーンを垂下し、前記スクリーンの下端にウェイトバーを取着し、前記巻取軸の回転に基づいて前記スクリーン及びウェイトバーを昇降可能とし、前記ウェイトバーを上下動可能に支持するガイドワイヤーを前記ウェイトバーの長手方向両側に張設したロールブラインドにおいて、前記ガイドワイヤーに上下動可能に支持される一対のワイヤーランナーを、前記ウェイトバーの両端部のそれぞれに、該ウェイトバーの長手方向に移動可能に支持し、前記ウェイトバーには、前記ワイヤーランナーの前記長手方向への移動に基づいて付勢されて前記ウェイトバーを前記スクリーンに巻ずれが発生しない位置に保持する一対の付勢手段を備え、前記各ワイヤーランナーの先端部には前記ガイドワイヤーを挿通し、前記各ワイヤーランナーの基端部と前記ウェイトバーとの間には前記各付勢手段がそれぞれ配設され、前記ワイヤーランナーの前記長手方向への移動に基づいて、前記一対の付勢手段のうちの一方のみが付勢される。
【０００９】
請求項２では、前記ウェイトバー内で前記ワイヤーランナーの基端部と前記ウェイトバーとの間に前記付勢手段を配設した。
【００１１】
請求項３では、取付面に回転可能に支持される巻取軸からスクリーンを垂下し、前記スクリーンの下端にウェイトバーを取着し、前記巻取軸の回転に基づいて前記スクリーン及びウェイトバーを昇降可能とし、前記ウェイトバーを上下動可能に支持するガイドワイヤーを前記ウェイトバーの長手方向両側に張設したロールブラインドにおいて、前記ガイドワイヤーに上下動可能に支持されるワイヤーランナーを、前記ウェイトバーの両端部に該ウェイトバーの長手方向に移動可能に支持し、前記ウェイトバーには前記ワイヤーランナーの移動に基づいて付勢されて前記ウェイトバーを前記スクリーンに巻ずれが発生しない位置に保持する付勢手段を備え、前記ワイヤーランナーの先端部に前記ガイドワイヤーを挿通し、前記ウェイトバー内に前記ワイヤーランナーと一体に移動する付勢手段収容部を設け、前記付勢手段収容部と前記ウェイトバーに固定された仕切り板との間に前記付勢手段を配設した。
【００１２】
請求項４では、前記ウェイトバーの両端部に一対の前記ワイヤーランナーをそれぞれ移動可能に支持し、前記各ワイヤーランナーと一体に移動する付勢手段収容部を前記仕切り板の両側に設け、前記仕切り板の両側に前記付勢手段を設けた。
【００１３】
請求項５では、取付面に回転可能に支持される巻取軸からスクリーンを垂下し、前記スクリーンの下端にウェイトバーを取着し、前記巻取軸の回転に基づいて前記スクリーン及びウェイトバーを昇降可能とし、前記ウェイトバーを上下動可能に支持するガイドワイヤーを前記ウェイトバーの長手方向両側に張設したロールブラインドにおいて、前記ガイドワイヤーに上下動可能に支持されるワイヤーランナーを、前記ウェイトバーの両端部に該ウェイトバーの長手方向に移動可能に支持し、前記ウェイトバーには前記ワイヤーランナーの移動に基づいて付勢されて前記ウェイトバーを前記スクリーンに巻ずれが発生しない位置に保持する付勢手段を備え、前記巻取軸の支持ブラケットに前記ガイドワイヤーを保持するワイヤーホルダーを設け、前記ワイヤーホルダーの前記スクリーンに対向する面に、前記スクリーンの巻ずれ方向に対し斜めとなる斜辺部を備えた。
【００１４】
請求項６では、取付面に回転可能に支持される巻取軸からスクリーンを垂下し、前記スクリーンの下端にウェイトバーを取着し、前記巻取軸の回転に基づいて前記スクリーン及びウェイトバーを昇降可能とし、前記ウェイトバーを上下動可能に支持するガイドワイヤーを前記ウェイトバーの長手方向両側に張設したロールブラインドにおいて、前記ガイドワイヤーに上下動可能に支持される一対のワイヤーランナーを、前記ウェイトバーの両端部のそれぞれに、該ウェイトバーの長手方向に移動可能に支持し、前記ウェイトバーには、前記ワイヤーランナーの前記長手方向への移動に基づいて付勢されて前記ウェイトバーを前記スクリーンに巻ずれが発生しない位置に自然長で保持する一対のコイルスプリングを備え、前記ワイヤーランナーの先端部に前記ガイドワイヤーを挿通し、前記ワイヤーランナーの前記長手方向への移動に基づいて、前記一対のコイルスプリングのうちの一方のみが付勢されるとともに、他方が自然長で保持される。
【発明の効果】
【００１５】
本発明によれば、ウェイトバーをスクリーンの巻ずれが発生しない位置に自動的に調整し得るロールブラインドの巻ずれ防止装置を提供することができる。
【図面の簡単な説明】
【００１６】
【図１】一実施形態の電動ロールブラインドを示す側面図である。
【図２】リミットベースを示す正面図である。
【図３】巻ずれ検出レバーの動作を示す平面図である。
【図４】ワイヤーホルダーを示す平面図である。
【図５】巻ずれ防止装置を備えたウェイトバーを示す正面図である。
【図６】ワイヤーランナーを示す平面図である。
【図７】図５におけるＣ−Ｃ線断面図である。
【図８】巻ずれ防止装置の動作を示す正面図である。
【図９】巻ずれ防止装置の第二の実施形態を示す正面図である。
【図１０】スプリングボックスを示す斜視図である。
【図１１】図９におけるＤ−Ｄ線断面図である。
【図１２】第二の実施形態の巻ずれ防止装置の動作を示す正面図である。
【発明を実施するための形態】
【００１７】
（第一の実施形態）
以下、この発明を具体化した第一の実施形態を図面に従って説明する。図１に示す電動ロールブラインドは、壁面等の取付面に固定される支持ブラケット１間に巻取軸２が回転可能に支持され、その巻取軸２からスクリーン３が垂下されている。
【００１８】
前記巻取軸２内には、基端部が前記支持ブラケット１に支持されたモーター（図示しない）が配設され、そのモーターの作動により前記巻取軸２が正逆方向に回転される。そして、巻取軸２がスクリーン３の巻取り方向に回転されると、スクリーン３が巻取軸２に巻き取られて引き上げられ、巻取軸２がスクリーン３の巻戻し方向に回転されると、スクリーン３が巻取軸２から巻き戻されて下降する。
【００１９】
前記スクリーン３の下端にはウェイトバー４が取着されている。前記ウェイトバー４の両端部にはガイド部材５が取着され、そのガイド部材５にはスクリーン３の幅方向両側において垂直方向に張設されたガイドワイヤー（案内手段）６が挿通されている。
【００２０】
前記ガイドワイヤー６の下端部は、前記ウェイトバー４の下限位置において床面等の取付面に固定されたワイヤ固定部７に支持されている。前記ガイドワイヤー６の上端部は、前記支持ブラケット１に支持されている。
【００２１】
従って、スクリーン３が昇降されると、ウェイトバー４はガイドワイヤー６により前後方向及び左右方向にほぼ位置決めされた状態で昇降される。
前記支持ブラケット１には、図２及び図３に示すリミットベース８が固定され、そのリミットベース８にはリミットスイッチ９が取着されている。
【００２２】
前記リミットベース８には、前記リミットスイッチ９の側方に巻ずれ検出レバー１０が設けられている。前記巻ずれ検出レバー１０の具体的構成を説明すると、前記リミットベース８に固定された支持部材１１に支軸１２が垂直方向に設けられ、その支軸１２に前記巻ずれ検出レバー１０の基端部が回動可能に支持されている。
【００２３】
前記巻ずれ検出レバー１０の先端側は、図３に示すように、前記巻取軸２の端部から遠ざかる方向に延設された後、前記巻取軸２の端部に向かって斜めに延設され、さらに先端部１３が山形に屈曲されている。また、その先端部１３は、図１及び図２に示すように、基端部より上下方向に幅広に形成されている。
【００２４】
そして、巻取軸２に巻き取られるスクリーン３の端縁部が前記先端部１３の頂部１３ａに当接するようになっている。
前記支軸１２には捩じりコイルスプリング１４が装着され、その捩じりコイルスプリング１４の一端は前記支持部材１１に当接し、他端は巻ずれ検出レバー１０の基端部に当接している。
【００２５】
そして、支持部材１１を支点とした捩じりコイルスプリング１４の付勢力により、前記巻ずれ検出レバー１０は常には図３に実線で示す状態に保持される。また、巻取軸２に巻き取られるスクリーン３に図３に示す矢印Ａ方向の巻ずれが発生すると、巻ずれ検出レバー１０がスクリーン３に押圧されて同図に鎖線で示すように回動される。すると、巻ずれ検出レバー１０の基端部で前記リミットスイッチ９のボタン９ａが押圧されて、モーターの作動が停止されるようになっている。
【００２６】
図２に示すように、前記リミットベース８には長板状のリミットレバー１５が上下動可能に支持されている。また、リミットレバー１５にはコイルスプリング１６の一端が取着され、そのコイルスプリング１６の他端は前記リミットベース８に取着されている。そして、リミットレバー１５はコイルスプリング１６の付勢力により常に下方へ付勢されて、常には図２に示す下限位置に位置している。
【００２７】
前記リミットレバー１５の上部において、前記リミットスイッチ９のボタン９ａの下方には、リミットレバー１５が上方へ押し上げられたとき、前記ボタン９ａを押圧可能とした押圧片１７が形成されている。
【００２８】
前記リミットレバー１５の下端縁は、前記ウェイトバー４の端部の昇降軌跡上に位置する。そして、ウェイトバー４が上限まで引き上げられると、ウェイトバー４の端部が前記リミットレバー１５の下端に当接して、リミットレバー１５を上方に押し上げる。すると、前記押圧片１７でボタン９ａが押圧されて、モーターの作動が停止されるようになっている。
【００２９】
前記リミットレバー１５の下端部には、ワイヤーホルダー１８が取着されている。このワイヤーホルダー１８は、図４に示すように、金属板の先端部を折り曲げて三角形状のガイド部１９が形成され、その基端部が前記リミットレバー１５の下端部に取着されている。そして、前記ガイド部１９に前記ガイドワイヤー６が挿通されている。
【００３０】
前記ガイド部１９は、その斜辺部２０が前記スクリーン３の端縁に対向するように形成されている。そして、図４に示すように、巻取軸２に巻き取るスクリーン３に巻ずれが発生して、スクリーン３の端縁がガイド部１９に向かって矢印Ｂ方向に近づいたとき、スクリーン３の端縁は斜辺部２０に沿って案内されて、スクリーン３の巻ずれ方向に移動可能となっている。
【００３１】
従って、スクリーン３に巻ずれが発生して、スクリーン３の端縁がガイド部１９に当接しても、スクリーン３の端縁が折り返されたり、ガイド部１９と強く摩擦しないようになっている。
【００３２】
前記ウェイトバー４にはスクリーン３の巻ずれを防止する巻ずれ防止装置が設けられている。図５及び図７に示すように、前記ウェイトバー４は中空状の押し出し形材で形成され、その両端部に取着されたキャップ２１に四角棒状のワイヤーランナー（被案内手段）２２ａ，２２ｂがウェイトバー４の長手方向にそれぞれ出没可能に支持されている。前記ワイヤーランナー２２ａ，２２ｂは同一長さで形成されている。
【００３３】
図６に示すように、前記ワイヤーランナー２２ａ，２２ｂの先端部には二股部２３が形成され、その二股部２３の先端部には同二股部２３の開口部を塞ぐようにネジ軸２４が取着されている。そして、二股部２３とネジ軸２４との間に形成される空間に、前記ガイドワイヤー６が挿通されている。
【００３４】
前記ウェイトバー４内において、前記ワイヤーランナー２２ａ，２２ｂはコイルスプリング２５ａ，２５ｂに挿通され、ワイヤーランナー２２ａ，２２ｂの基端には、コイルスプリング２５ａ，２５ｂのワイヤーランナー２２ａ，２２ｂからの抜けを阻止する抜け止めビス２６が取着されている。
【００３５】
前記コイルスプリング２５ａ，２５ｂは、その付勢力が等しく設定されている。巻ずれが生じない正常時、キャップ２１にコイルスプリング２５ａ，２５ｂは自然長で接し、前記ウェイトバー４はキャップ２１から露出するワイヤーランナー２２ａ，２２ｂの長さが等しくなるように位置する。すなわち、ウェイトバー４が左右のガイドワイヤー６の中間位置で保持されるよう左右のガイドワイヤー６が床面等に設置されている。そのとき、キャップ２１を支点とするコイルスプリング２５ａ，２５ｂの付勢力は作用しない。
【００３６】
このように構成されたウェイトバー４では、巻取軸２に巻き取られるスクリーン３に巻ずれが発生すると、図８に示すように、ウェイトバー４がガイドワイヤー６の中間位置から一方へ移動し、例えばコイルスプリング２５ａが圧縮される状態となる。コイルスプリング２５ｂは自然長のままウェイトバー４の移動にともないウェイトバー４内を相対移動する。
【００３７】
すると、コイルスプリング２５ａの伸張方向の付勢力により、ウェイトバー４はガイドワイヤー６の中間位置に向かって移動し、図５に示す状態に復帰する。従って、巻取軸２に対するスクリーン３の巻ずれが強制的に補正される。
【００３８】
この実施形態の電動ロールブラインド及び巻ずれ防止装置では、次に示す作用効果を得ることができる。
（１）ウェイトバー４内のコイルスプリング２５ａ，２５ｂの付勢力により、ウェイトバー４をガイドワイヤー６間の中間位置に保持して、巻取軸２でのスクリーン３の巻ずれを補正することができる。
（２）通常時（巻ずれしていないとき）、コイルスプリング２５ａ，２５ｂの付勢力は作用しないため、ワイヤーランナー２２ａ，２２ｂとガイドワイヤー６との摩擦は小さく、巻取軸２を引き上げるためのトルクは小さい。
（３）コイルスプリング２５ａ，２５ｂの付勢力を同一とすることにより、スクリーンの生地の伸び等による調整を必要とすることなく、ウェイトバー４をスクリーン３の巻ずれが発生しない位置に自動的に保持することができる。
（４）スクリーン３の端縁がワイヤーホルダー１８に接触しても、斜辺部２０によりスクリーン３がワイヤーホルダー１８に強く摩擦しないので、スクリーン３端縁の損傷を防止することができる。
（第二の実施形態）
図９〜図１２は、巻ずれ防止装置の第二の実施形態を示す。第一の実施形態と同一構成部分は、同一符号を付して説明する。図９に示すように、前記ワイヤーランナー（被案内手段）２２ａ，２２ｂには連結部材３１ａ，３１ｂの一端が固着され、連結部材３１ａ，３１ｂの他端は、スプリングボックス３２の端部にそれぞれ固着されている。従って、ワイヤーランナー２２ａ，２２ｂ、連結部材３１ａ，３１ｂ及びスプリングボックス３２は、ウェイトバー４に対し、ウェイトバー４の長手方向に一体に相対移動可能となっている。
【００３９】
前記スプリングボックス３２は、図１０及び図１１に示すように、前記ウェイトバー４内をその長手方向に相対移動可能とした四角箱状に形成されるとともに、その四角箱は上下方向に開口されている。前記スプリングボックス３２の上下位置には固定ビス３３で前記ウェイトバー４に固定された連結部材３４ａ，３４ｂが配設されている。
【００４０】
前記連結部材３４ａ，３４ｂは、前記スプリングボックス３２を上下方向に貫通する仕切り板３５で連結され、その仕切り板３５と前記スプリングボックス３２の両側の内側面との間にコイルスプリング３６ａ，３６ｂが配設されている。
【００４１】
また、前記スプリングボックス３６ａ，３６ｂの両側の内側面には、前記コイルスプリング３６ａ，３６ｂに係合してコイルスプリング３６ａ，３６ｂを径方向に保持する円柱状の突部３７が形成されている。
【００４２】
前記コイルスプリング３６ａ，３６ｂは、その付勢力が等しく設定されている。巻ずれが生じない正常時、仕切り板３５にコイルスプリング３６ａ，３６ｂは自然長で接し、前記ウェイトバー４はキャップ２１から露出するワイヤーランナー２２ａ，２２ｂの長さが等しくなるように位置する。すなわち、ウェイトバー４が左右のガイドワイヤー６の中間位置で保持されるよう左右のガイドワイヤー６が床面等に設置されている。そのとき、仕切り板３５を支点とするコイルスプリング２５ａ，２５ｂの付勢力は作用しない。
【００４３】
このように構成されたウェイトバー４では、巻取軸２に巻き取られるスクリーン３に巻ずれが発生すると、図１２に示すように、ウェイトバー４がガイドワイヤー６の中間位置から一方へ移動し、例えばコイルスプリング３６ａが圧縮される状態となる。
【００４４】
すると、コイルスプリング３６ａの伸張方向の付勢力により、ウェイトバー４はガイドワイヤー６の中間位置に向かって移動し、図９に示す状態に復帰する。従って、巻取軸２に対するスクリーン３の巻ずれが強制的に補正される。
【００４５】
この実施形態の巻ずれ防止装置では、第一の実施形態で得られた作用効果（１）（２）に加えて、次に示す作用効果を得ることができる。
（１）コイルスプリング３６ａ，３６ｂの支点は、ウェイトバー４に固定された仕切り板３５であり、スプリングボックス３２は連結部材３４ａ，３４ｂを介してワイヤーランナー２２ａ，２２ｂに連結されているので、ウェイトバー４の中間位置からのずれ、すなわち巻ずれが発生する状態を検出する精度を向上させることができる。
【００４６】
上記実施形態は、以下の態様で実施してもよい。
・第一および第二の実施形態の巻ずれ防止装置は、スクリーンを手動で昇降するロールブラインドに使用することもできる。
・第一及び第二の実施形態において、ウェイトバー４内のコイルスプリングを一つとしてもよい。ウェイトバー４の中間位置から一方への移動でコイルスプリングを圧縮し、他方への移動でコイルスプリングを伸長させ、そのコイルスプリングの復元力を利用してウェイトバーを中間位置に保持するように構成する。コイルスプリングを一つとして部品点数を削減することができる。
・第一及び第二の実施形態において、通常時（巻ずれが生じないとき）左右のコイルスプリング２５ａ，２５ｂ，３６ａ，３６ｂに非線形の初期たわみのみを付与して、若干圧縮した状態で左右のガイドワイヤー６を設置してもよい。このようにすれば、僅かな巻ずれもスムースに補正することができる。
・第一及び第二の実施形態において、被案内手段としてのワイヤーランナーを案内手段としてのガイドワイヤーで上下方向に案内したが、断面Ｃ形あるいは断面Ｉ形の溝を備えたガイドレールで被案内手段を左右方向に移動不能に係合させ、上下方向に移動可能に案内してもよい。
【符号の説明】
【００４７】
２…巻取軸、３…スクリーン、４…ウェイトバー、６…案内手段（ガイドワイヤー）、１８…ワイヤーホルダー、２０…斜辺部、２２ａ，２２ｂ…被案内手段（ワイヤーランナー）、２５ａ，２５ｂ，３６ａ，３６ｂ…付勢手段（コイルスプリング）、３２…付勢手段収容部（スプリングボックス）、３５…仕切り板。
【図１】
0005622368.tif 000002
【図２】
0005622368.tif 000003
【図３】
0005622368.tif 000004
【図４】
0005622368.tif 000005
【図５】
0005622368.tif 000006
【図６】
0005622368.tif 000007
【図７】
0005622368.tif 000008
【図８】
0005622368.tif 000009
【図９】
0005622368.tif 000010
【図１０】
0005622368.tif 000011
【図１１】
0005622368.tif 000012
【図１２】
0005622368.tif 000013